(57)【特許請求の範囲】
【請求項１】
浴槽の洗い場側側面に設けられる浴槽エプロンと浴槽エプロンの洗い場側に隣接して浴室壁に設けられるカウンタを備えた浴室構造において、浴槽エプロンは、浴槽フランジの洗い場側端面と略同位置まで洗い場側に飛び出した凸部と、凸部の下方に凸部よりも浴槽側に凹んでおり点検口部を有した凹部とを備え、凹部にカウンタが当接してなり、点検口部を覆ってかつカウンタの浴槽側端面に重ならないように外蓋が設けられており、カウンタ上端と凸部下端の間には、前記凹部が設けられるように形成されていることを特徴とする浴室構造。
【請求項２】
請求項１に記載の浴室構造において、外蓋は第一外蓋と第二外蓋を備え、第一外蓋はカウンタの下方に設けられ、第二外蓋はカウンタの洗い場側端部に干渉しない位置に設けられることを特徴とする浴室構造。
【請求項３】
請求項２に記載の浴室構造において、第二外蓋の上端とカウンタの上端は略同一高さに設けられていることを特徴とする浴室構造。
【発明の詳細な説明】
【技術分野】
【０００１】
本発明は、浴室構造、特に浴槽エプロンと浴槽エプロンの洗い場側に隣接して浴室壁に設けられるカウンタを備えた浴室構造に関するものである。
【背景技術】
【０００２】
浴室内において、浴槽エプロンの洗い場側に隣接して浴室壁に設けられるカウンタを備えた浴室構造、及び浴槽エプロンに外蓋が設けられた構成が、従来、知られている。
【０００３】
そのような浴室構造において、浴槽エプロンは、作業口を開口して左右方向へ延びるエプロン本体と、エプロン本体に着脱可能に取付けて作業口を覆う内蓋と、エプロン本体の一方側を覆う一方の外蓋と、一方の外蓋に隣接してエプロン本体の他方側を覆う着脱自在な他方の外蓋とを備え、一方の外蓋とカウンターの端部とを、重なるように前後で対向させた構成が公知である（特許文献１参照）。
【０００４】
また、バスタブの入浴槽部の上端外周にフランジを備え、フランジの正面側前端に垂下片を備え、エプロンが、上端部に垂下片の後面と当接する当接片を備え、この当接片の下に、後方に窪んで前方に開口する凹部又は前方に突出する凸部を備え、入浴者が掴みやすくした構成が公知である（特許文献２参照）。
【０００５】
なお、浴室エプロンであって、２つの外蓋が、あたかもメガネのレンズのように互いに離れて設けられており、通常、メガネエプロンとも呼ばれている構成が知られている。
【先行技術文献】
【特許文献】
【０００６】
【特許文献１】特許第４９５６３８９号公報
【特許文献２】特開平８−１８２６３１号公報
【発明の概要】
【発明が解決しようとする課題】
【０００７】
特許文献１記載の発明では、浴槽エプロンの一方の外蓋とカウンターの端部とを、重なるように前後で対向させた構成であるので、メインテナンス等に際して、他方の外蓋を外してから一方の外蓋を取り外す等の手間がかかる。
【０００８】
また、特許文献１のように、浴槽エプロンの外蓋とカウンタ端部が重なるような構成であると、カウンターの水密性を確保するために、一方の外蓋とカウンターの間にコーキングを施してシールをする場合は、外蓋を外す際に、コーキングを破断する必要がある等の手間がかかる。
【０００９】
特許文献２記載の発明では、点検口をカバーするための外蓋を設けた場合は、外蓋のラインと入浴者が掴みやすい凹部のラインが近接しており、見た目もすっきりしなくなる。
【００１０】
また、特許文献２記載の発明では、カウンタは設けられていないが、もしカウンタをその浴槽側端を浴槽エプロンに当接して設ける場合は、入浴者が掴むことのできる凹部があるために、カウンタの取付け高さ等の取付け位置が自由に選択できない。
【００１１】
仮にカウンタを設けた場合でも、カウンタ上端と浴槽エプロンとで生じるラインに加え、浴槽エプロンの一部に形成された入浴者が掴むことのできる凹部のラインが形成され、ラインが増えて、見た目もすっきりしなくなる。また、浴槽エプロンの成形の際に、入浴者が掴みやすい凹部設けるための金型等が必要である。
【００１２】
上記メガネエプロンは、２つの外蓋が離れて並んでおり、エプロン本体と外蓋とで生じるラインも多くなってすっきりせず、必ずしも、見栄えがよいとはいえない。また、カウンタの浴室側端をエプロンに当接して設ける場合には、カウンタの奥行き寸法が大きくなったり、取付け高さが変更したりすると、その変更に応じた形状のメガネエプロンが必要となる。
【００１３】
本発明は、上記従来技術の問題を解決することを目的とし、外蓋とカウンタが干渉することなく、メインテナンス等の際に、外蓋が簡単に脱着可能であり、しかも、カウンタの取り付け位置の変更に対しても対応可能であり、かつ入浴者の手掛け部を提供可能な浴槽エプロンを備えた浴室構造を実現することを課題とする。
【課題を解決するための手段】
【００１４】
本発明は上記課題を解決するために、浴槽の洗い場側側面に設けられる浴槽エプロンと浴槽エプロンの洗い場側に隣接して浴室壁に設けられるカウンタを備えた浴室構造において、浴槽エプロンは、浴槽フランジの洗い場側端面と略同位置まで洗い場側に飛び出した凸部と、凸部の下方に凸部よりも浴槽側に凹んでおり点検口部を有した凹部とを備え、凹部にカウンタが当接してなり、点検口部を覆ってかつカウンタの浴槽側端面に重ならないように外蓋が設けられており、カウンタ上端と凸部下端の間には、前記凹部が設けられるように形成されていることを特徴とする浴室構造を提供する。
【００１５】
外蓋は第一外蓋と第二外蓋を備え、第一外蓋はカウンタの下方に設けられ、第二外蓋はカウンタの洗い場側端部に干渉しない位置に設けられることが好ましい。
【００１６】
第二外蓋の上端とカウンタの上端は略同一高さに設けられていることが好ましい。
【発明の効果】
【００１７】
本発明によると、カウンタ上端と浴槽エプロンの凸部下端の間には凹部が設けられるように形成されているので、カウンタの取付位置変更があっても対応可能な浴槽エプロンとすることができる。また、凹部を手掛け部として使用することもできる。
【図面の簡単な説明】
【００１８】
【図１】本発明に係る浴室構造の実施例を説明する図であり、（ａ）は浴室構造の要部の斜視図であり、（ｂ）は（ａ）におけるＢ−Ｂ断面図である。なお、（ａ）では示していないが（ｂ）では、浴槽の一部を点鎖線（想像線）で示す。
【図２】上記実施例を説明する図であり、（ａ）は浴室構造の要部の斜視図であり、（ｂ）は第一外蓋の正面図である。
【図３】上記実施例を説明する図であり、第一外蓋を外した状態の浴室構造の要部の斜め下方から見た斜視図である。
【図４】上記実施例を説明する図であり、第一外蓋を取付けた状態の浴室構造の要部の斜め下方から見た斜視図である。
【発明を実施するための形態】
【００１９】
本発明に係る浴室構造を実施するための形態を実施例に基づき図面を参照して、以下説明する。
【００２０】
（実施例）
本発明に係る浴室構造の実施例を、図１〜図４を参照して以下説明する。本発明の浴室構造１は、図１（ａ）、（ｂ）に示すように、浴槽２の洗い場側に設けられる浴槽エプロン３と、浴槽エプロン３の洗い場側に隣接して浴室壁６に設けられるカウンタ７を備えている。
【００２１】
なお、本明細書の説明では、浴室内で、浴槽２に向かう方向を浴槽側とし、浴槽２と反対の洗い場８の方向を洗い場側とする。また、本実施例では浴槽２に向かって右側の浴室壁６にカウンタ７が取り付けられており、カウンタ７に関する説明では、浴槽２に向かってカウンタ７の右側を浴室壁側とし、左側を洗い場側とする。
【００２２】
浴槽エプロン３は、浴槽エプロン本体１１と外蓋１２を備えている。浴槽エプロン本体１１は、図１〜図３に示すように、凸部１８と凹部２０を備えている。
【００２３】
凸部１８は、図１（ｂ）に示すように、浴槽エプロン３の上端近くにおいて、浴槽フランジ１３の洗い場側端面１４と略同位置まで洗い場側に飛び出し、横幅方向に延びるように形成されている。凹部２０は、凸部１８の下方に凸部１８よりも浴槽側に凹んでおり、点検口部１９（図３参照）を有している。
【００２４】
カウンタ７は、本実施例では、図１（ａ）に示すように、浴室壁６に取り付けられており、図１、図２（ａ）に示すように、カウンタ本体２４とカウンタエプロン２５を備えている。カウンタエプロン２５は、図３、図４に示すように、浴室壁６側に向かって下方に傾斜した傾斜面２６と水平な底面２７とを有する。
【００２５】
図１（ｂ）に示すように、カウンタ７の浴槽側端面３０は、浴槽エプロン３の凹部２０に当接されるように、浴室壁６に取り付けられている。カウンタ７の浴槽側端面３０は、カウンタ本体２４の浴槽側端面３１とカウンタエプロン２５の浴槽側端面３２から成り、これらの端面３１、３２は、互いに面一に形成されている。
【００２６】
カウンタ７の浴室側端をシールする場合は、カウンタ７の浴槽側端面３０と浴槽エプロン３の凹部２０の当接箇所の周縁３６（図１（ａ）、（ｂ）、図３参照）に沿って、コーキングを施してシールすればよく、外蓋１２との間でコーキングを施す必要はない。
【００２７】
図１（ａ）、（ｂ）、図２（ａ）に示すように、カウンタ７の上端３７と凸部１８の下端３８の間には、浴槽エプロン３の凹部２０が露出するように設けられているが、凹部２０において、カウンタ７の上端３７と凸部１８の下端３８の間の部分は、凸部１８の洗い場側の面４１より引っ込んでおり、手掛け部４２として機能する。
【００２８】
浴槽エプロン３の外蓋１２は、図１（ａ）、図２（ａ）、図４に示すように、浴槽エプロン３の凹部２０に形成された点検口部１９（図３参照）を覆って、かつカウンタ７の浴槽側端面３０に重ならないように設けられている。外蓋１２は、第一外蓋４６と第二外蓋４７を備えている。
【００２９】
第一外蓋４６は、図４に示すように、カウンタ７の下方に、浴槽エプロン本体１１に着脱可能に設けられている。第一外蓋４６は、図２（ｂ）に示すように、正面視で、上部の台形部５１と下部の矩形部５２を一体で備えている。台形部５１は、上面部５３と傾斜面部５４を備え、傾斜面部５４の下端は、矩形部５２の上面部５５に連続している。
【００３０】
図１（ａ）、（ｂ）、図４に示すように、台形部５１の上面部５３に、カウンタ本体２４の浴槽側の端部が載置されている。そして、台形部５１の傾斜面部５４及び矩形部５２の上面部５５には、カウンタエプロン２５の傾斜面２６及び底面２７が載置されている。これによって、カウンタ７における浴槽側の端部は、第一外蓋４６によって下方から支持される。
【００３１】
第二外蓋４７は、浴槽エプロン本体１１の凹部２０に着脱可能に設けられている。具体的には、第二外蓋４７は、図１（ａ）、図２（ａ）、図４に示すように、浴槽２を正面視して、第一外蓋４６の左側に隣接し、かつカウンタ７の浴槽側端面３０に重ならない（干渉しない）ように設けられている。
【００３２】
ここで、さらに外蓋１２とカウンタ７との位置関係について説明する。カウンタ７の浴槽側端面３０、具体的には、カウンタ本体２４の浴槽側端面３１とカウンタエプロン２５の浴槽側端面３２は、いずれも、外蓋１２、即ち第一外蓋４６の洗い場側面及び第二外蓋４７の洗い場側の面６０（図１（ａ）、図３参照）よりも浴槽側に位置している。
【００３３】
第二外蓋４７の洗い場側の面６０は、図２（ａ）に示すように、凹部２０の面６１より洗い場側に突き出ている。これにより、凹部２０において、第二外蓋４７の上端６２と凸部１８の下端３８との間の部分は、第二外蓋４７の洗い場側の面６０及び凸部１８の洗い場側の面４１より浴槽側に引っ込んでおり、手掛け部４２として機能する。
【００３４】
また、図２（ａ）に示すように、第二外蓋４７の上端６２とカウンタ７の上端３７は、略同一高さになるように設けられている。さらに図１（ａ）、図３に示すように、第二外蓋４７の浴室壁側の側面の上端６３は、カウンタ７のカウンタ本体２４の洗い場側の側面に当接するように設けられている。  
【００３５】
（作用）
上記構成から成る実施例の浴室構造１の作用について、以下説明する。浴室構造１では、図１（ａ）、図２（ａ）、図４に示すように、浴槽エプロン３の凹部２０に、カウンタ７の浴槽側端面３０を当接して設け、カウンタ７の上端３７と浴槽エプロン３の凸部１８の下端３８の間には、凹部２０が露出して設けられるように構成されている。
【００３６】
このような構成としたので、凹部２０の高さの範囲内（但し凸部１８との間に手掛け部４２を残す範囲内）で、カウンタ７の取付け高さ等の取付位置の変更が可能である。そして、カウンタ７の取付位置を変更した場合でも、浴槽エプロン本体１１自体の全体構成を変更する必要はない。
【００３７】
即ち、カウンタ７の取付位置を変更した場合は、カウンタ７を下から支持する高さ等の寸法を備えた第一外蓋４６、及びカウンタ７の上端３７と略同じ高さになる第二外蓋４７を取り付ければ良い。なお、カウンタ７の取付位置の変更に応じて必要であれば、浴槽エプロン本体１１の点検口部１９の位置、大きさ等を変更して形成してもよい。
【００３８】
また、凸部１８の下端３８とカウンタ７の上端３７の間、及び凸部１８の下端３８と第二外蓋４７の上端６２との間には凹部２０が形成されており、この凹部２０が手掛け部４２として機能するので、入浴者は浴槽２内から立ち上がる際に、この手掛け部４２に、浴槽２側から手を掛けることができる。
【００３９】
このように、凸部１８の下端３８とカウンタ７の上端３７の間の凹部２０は、手掛け部４２として利用できるので、仮に、カウンタ７の取付け高さ位置を変更した場合（例えば凹部の縦幅が変わった場合等）でも、凹部２０を埋めるための部材で埋める必要はない。
【００４０】
また、第二外蓋４７については、カウンタ７の上端３７と略同じ高さとすれば良く、浴槽エプロン３の凸部１８の下端３８に当接するような大きな部材を使用する必要がないので、小型化できる。
【００４１】
第二外蓋４７の上端６２（手掛け部４２の下端でもある）とカウンタ７の上端３７は、略同一高さになるように設けられている。従って、第二外蓋４７の上端６２と凹部２０の境界線は、カウンタ７の上端３７と凹部２０の境界線と水平に略一直線となり、すっきりとして見栄えが良くなり、従来技術のように、手掛け部を設けることで、やたらに直線が増えて見栄えを低下するようなことはない。
【００４２】
図４に示すように、カウンタ本体２４は、第一外蓋４６の台形部５１における上面部５３で支持されている。また、カウンタエプロン２５は、第一外蓋４６の台形部５１の傾斜面部５４及び矩形部５２の上面部５５で支持されている。従って、カウンタ７の浴槽側の端部側に生じる撓みや変形を低減することが可能となる。
【００４３】
メインテナンスのために点検口部１９（図３参照）を露出する際には、第一外蓋４６及び第二外蓋４７を取り外す。この浴室構造１では、第一外蓋４６及び第二外蓋４７は、それぞれカウンタ７と互いに重ならない（干渉しない）ので、それぞれ単独して着脱することができる。
【００４４】
従って、従来の浴室構造のように、第一及び第二の２つの外蓋のうち、第二外蓋を取り外してから第一外蓋を取り外すような順番にこだわることなく、第一外蓋から取り外しても良い。
【００４５】
カウンタ７の浴槽側をシールする場合は、浴槽エプロン３の凹部２０との当接箇所の周縁にコーキングを施してシールすればよいので、第一外蓋４６との間でコーキングが施してシールする必要がない。従って、第一外蓋４６を取り外す際に、カウンタ７のコーキングを破断して除去するような必要はない。
【００４６】
以上、本発明に係る浴室構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４７】
本発明に係る浴室構造は上記のような構成であるから、エプロン及びカウンタを備えた各種の浴室に適用可能である。
【符号の説明】
【００４８】
１  浴室構造                                                     
２  浴槽                                                         
３  浴槽エプロン                                                 
６  浴室壁                                                       
７  カウンタ                                                     
８  洗い場                                                       
１１  浴槽エプロン本体                                           
１２  外蓋                                                       
１３  浴槽フランジ                                               
１４  浴槽フランジの洗い場側端面                                 
１８  浴槽エプロンの凸部                                         
１９  点検口部                                                   
２０  浴槽エプロンの凹部                                         
２４  カウンタ本体                                               
２５  カウンタエプロン                                           
２６  カウンタエプロンの傾斜面                                   
２７  カウンタエプロンの底面                                     
３０  カウンタの浴槽側端面                                       
３１  カウンタ本体の浴槽側端面                                   
３２  カウンタエプロンの浴槽側端面                               
３６  カウンタ本体の浴槽側端面と凹部の当接箇所の周縁             
３７  カウンタの上端                                             
３８  凸部の下端                                                 
４１  凸部の洗い場側の面                                     
４２  手掛け部                                                   
４６  第一外蓋                                                   
４７  第二外蓋                                                   
５１  第一外蓋の台形部                                           
５２  第一外蓋の矩形部                                           
５３  台形部の上面部                                             
５４  台形部の傾斜面部                                           
５５  矩形部の上面部                                             
６０  第二外蓋の洗い場側の面                                     
６１  凹部の面                                                   
６２  第二外蓋の上端
６３  第二外蓋の浴室側側面の上端   
【図１】
0006527438.tif 000002
【図２】
0006527438.tif 000003
【図３】
0006527438.tif 000004
【図４】
0006527438.tif 000005